(57)【要約】
【課題】  簡易な構成で持ち運びが可能で、取っ手が過熱しないように工夫され、さらに安価に製造可能で廃棄物等の有効利用が可能な小型焼却用具を提供する。
【解決手段】  取っ手付きの金属製の缶を利用して作られる底板を有する筒状本体２と、筒状本体２を支持する脚部３と、筒状本体２の上方の開口ａに開閉自在に取り付けられる開閉蓋部４とを備え、上記筒状本体２は、その下方側の側壁部に空気窓ｂが設けられ、筒状本体部２内には格子状の載置体９が着脱自在に配置され、上記開閉蓋部４は、金網が張られた平面状に構成されている。
【選択図】  図１
0003100815.tif 000002
【実用新案登録請求の範囲】
【請求項１】
底板を有する筒状本体と、筒状本体を支持する脚部と、筒状本体の上方の開口に開閉自在に取り付けられる開閉蓋部と、筒状本体に取り付けられる取っ手とを備え、
上記筒状本体は、その下方側の側壁部に空気窓が設けられ、筒状本体部内には格子状の載置体が着脱自在に配置され、上記開閉蓋部は、平面状に張られた金網から構成されていることを特徴とする小型焼却用具。
【請求項２】
取っ手付きの金属製の缶を利用して作られる底板を有する筒状本体と、筒状本体を支持する脚部と、筒状本体の上方の開口に開閉自在に取り付けられる開閉蓋部とを備え、
上記筒状本体は、その下方側の側壁部に空気窓が設けられ、筒状本体部内には格子状の載置体が着脱自在に配置され、上記開閉蓋部は、金網が張られた平面状に構成されていることを特徴とする小型焼却用具。
【請求項３】
前記筒状本体の外壁に、断熱体によって覆われた突出掛止部が取り付けられ、前記取っ手は、上記突出掛止部により直接上記筒状本体の外壁に接触することがないように構成されていることを特徴とする請求項１又は請求項２記載の小型焼却用具。
【請求項４】
前記格子状の載置体に上方に突出したピンが複数設けられ、このピンの突出した高さが異なることを特徴とする請求項１又は請求項２記載の小型焼却用具。
【請求項５】
前記格子状の載置体に前記ピンがその突出高さが調整可能に取り付けられていることを特徴とする請求項１又は請求項２記載の小型焼却用具。
【請求項６】
前記載置体は高さ調節が可能であることを特徴とする請求項１又は請求項２記載の小型焼却用具。
【請求項７】
前記空気窓に、金網により構成される窓用蓋体が開閉自在に取り付けられていることを特徴とする請求項１又は請求項２記載の小型焼却用具。
【請求項８】
前記開閉蓋部は、筒状本体の開口に取り付けられる固定部材と、この固定部に蝶番を介して連結される開閉部とからなり、上記固定部材には、上方に突出した突出金具が取り付けられ、開閉部を開いたときに後方に転倒することを防止することを特徴とする請求項１又は請求項２記載の小型焼却用具。
【考案の詳細な説明】
【技術分野】
【０００１】
この考案は、持ち運びが簡易な、主として家庭用に使用される小型焼却用具に関する。  
【背景技術】
【０００２】
従来、ごみ類の燃焼器具としては、工場や学校等において野外設置型のものが多く使用され、そこでは、煙突が付いた焼却炉本体が比較的大きな焼却炉として構成されている。しかし、近年は、環境保全の観点等から、このような焼却炉は徐々にその姿を消して行く傾向にある。それは、屋外に設置しているため、雨曝しになり、側壁がさびてぼろぼろになったり、焼却炉内に残る灰が湿気を含んだり濡れたりしていたこと、焼却炉内を清掃しようと思っても、据え置き型のために丸洗いは難しく、維持管理が困難であったことにも原因を有する。    
【０００３】
これに対して、以下に示す、比較的小型で簡易なごみ焼却炉や、焼却炉に使用される火皿体が開示されている。
【特許文献１】登録実用新案登録第３０１７４４８号公報
【特許文献２】実用新案登録第３００４２４８号公報
【特許文献３】実開平７−４１２２０号公報
【考案の開示】
【考案が解決しようとする課題】
【０００４】
ところで、手紙や日記帳等のような思い出の品や試験の成績表、請求書、領収書などを焼却する場合においては、ここ最近のプライバシー保護の高まりからもいえるように、多くの人がこのような紙類を自分の目の届く範囲で処分したいと思っている。しかし、これらを簡易に焼却するといえども、現在の住宅事情の下では、庭のスペースが限られ、特にアパートやマンション住まいであると、焼却する場所がなく焼却することは困難である。かかる事情のもとで上述したような焼却を可能にするためには、焼却炉を空き地等の安全な場所に容易に持ち運べる必要があるが、このような必要な時に容易に出し入れすることができる小型で簡易な構成の焼却炉は従来存在していない。また、家庭的に焼却炉を使用するためには、使用後は水洗いして家の中に片付けておく必要がある。水洗いは安全な保管の面からも必要である。そして、家庭用に使用されるためには、安価に作られる必要がある。
【０００５】
しかしながら、特許文献１、２、３のような従来の燃焼炉は、家庭等で使用するには使用し難いという課題を有していた。すなわち、取っ手を把持して運ぶことは可能であるとしても、取っ手が加熱すると火傷したり、熱くて運ぶことが出来ない問題を有していた。また、特許文献２等は、煙突を有しているためその分重量が重くなり持ち運びが面倒となる問題を有していた。
【０００６】
また、家庭用の小型のものでも、それに応じた製造ラインを組む必要があるために製造コストがそれなりに高くなってしまう。一方、近年の環境に優しい商品が注目を集めるなか、焼却炉についても廃棄物等の有効利用が可能であれば理想的である。
【０００７】
そこで本考案の目的は、簡易な構成で持ち運びが可能で、取っ手が過熱しないように工夫され、さらに安価に製造可能で廃棄物等の有効利用が可能な小型焼却用具を提供することにある。
【課題を解決するための手段】
【０００８】
本考案に係る請求項１記載の小型焼却用具は、底板を有する筒状本体と、筒状本体を支持する脚部と、筒状本体の上方の開口に開閉自在に取り付けられる開閉蓋部と、筒状本体に取り付けられる取っ手とを備え、上記筒状本体は、その下方側の側壁部に空気窓が設けられ、筒状本体内には格子状の載置体が着脱自在に配置され、上記開閉蓋部は、平面状に張られた金網から構成されていることを特徴とする。
【０００９】
この考案によれば、取っ手が設けられているので、この取っ手を把持して容易に持ち運びが可能である。所定の場所に運び出して、開閉蓋部を開けて、筒状本体内に紙や落ち葉等のゴミ類を投入すると、格子状の載置体の上でゴミ類が堆積するので、最後にゴミ類に火を付けて開閉蓋部を閉塞すると、格子状の載置体の上でゴミ類が燃える。空気窓から空気が入ることから、ゴミ類は燃焼し続ける。この焼却用具は、筒状本体が煙突のような役割を果たすため、別途煙突を有しなくとも容易に燃焼する。また、火の付いたゴミ類は飛散しやすいが、金網で構成されている開閉蓋部によりこのゴミ類の飛散が防止される。開閉蓋部の上にはヤカン等を置くことができ、このヤカン等を置くことにより、小さいゴミ類についても飛散が防止されて更に効果的である。さらに、格子状の載置体が着脱自在に配置されていることから、この格子状の載置体を取り出して、筒状本体内を洗浄することができる。
【００１０】
本考案に係る請求項２記載の小型焼却用具は、取っ手付きの金属製の缶を利用して作られる底板を有する筒状本体と、筒状本体を支持する脚部と、筒状本体の上方の開口に開閉自在に取り付けられる開閉蓋部とを備え、上記筒状本体は、その下方側の側壁部に空気窓が設けられ、筒状本体内には格子状の載置体が着脱自在に配置され、上記開閉蓋部は、金網が張られた平面状に構成されていることを特徴とする。
【００１１】
本考案によれば、請求項１記載の発明と同様の使用の仕方でゴミ類を焼却することができるが、底板を有する筒状本体が取っ手付きの金属製の缶を利用して作られることから、その製造が容易に行える上に、例えば各種金属缶（ドラム缶のような大型のものを含む）等の廃棄物の有効活用が可能になる点が挙げられる。
【００１２】
本考案に係る請求項３記載の小型焼却用具は、請求項１又は請求項２記載の考案を前提とし、前記筒状本体の外壁に断熱体によって覆われた突出掛止部が取り付けられ、前記取っ手は、上記突出掛止部により直接上記筒状本体の外壁に接触することがないように構成されていることを特徴とする。
【００１３】
本考案によれば、上記取っ手は、断熱体によって覆われた突出掛止部に掛止されて、直接上記筒状本体の外壁に接触することが防止されるので、取っ手が過熱して持ち運べないという事態を防止でき、火傷の心配もなくなる。
【００１４】
本考案に係る請求項４記載の小型焼却用具は、請求項１又は２記載の考案を前提とし、前記格子状の載置体に上方に突出したピンが複数設けられ、このピンの突出した高さが異なることを特徴とする。
【００１５】
本考案によれば、前記格子状の載置体に上方に突出したピンが複数設けられ、このピンの突出した高さが異なることから、この高さの違いによりゴミ類の間の通気が確保されて燃焼しやすくなり、ゴミ類が格子状の載置体に嵩張って燃え残りを多く出すことを防止することができる。
【００１６】
本考案に係る請求項５記載の小型焼却用具は、請求項１又は２記載の考案を前提とし、前記格子状の載置体に前記ピンがその突出高さが調整可能に取り付けられていることを特徴とする。
【００１７】
本考案によれば、前記ピンがその突出高さが調整可能に取り付けられていることから、ゴミ類の種類や量によって、空気を送り込む量を調整することができる。
【００１８】
本考案に係る請求項６記載の小型焼却用具は、請求項１又は２記載の考案を前提とし、前記載置体は高さ調節が可能であることを特徴とする。
【００１９】
本考案によれば、前記載置体の高さ調節が可能なので、ゴミの種類や量に応じて、載置体の筒状本体底板からの高さを調整できる。たとえば、ゴミの量が少ない時には載置体の高さを高くしてゴミに火を付けやすくする。反対にゴミの量が多い場合は、載置体の高さを低くしてゴミを投入できる空間を広くする。さらに、空気窓にかかる位置にまで載置体の高さを低くすることにより、上方の開口からゴミに火を付けるだけでなく、空気窓から手を入れてゴミの下方からも火を付けることも可能となり、状況に応じた使用が可能となる。
【００２０】
本考案に係る請求項７記載の小型焼却用具は、請求項１又は２記載の考案を前提とし、前記空気窓に、金網により構成される窓用蓋体が開閉自在に取り付けられていることを特徴とする。
【００２１】
本考案によれば、前記空気窓に、金網により構成される窓用蓋体が開閉自在に取り付けられていることから、この窓用蓋体を開くことで、筒状本体の底板に堆積した灰を一挙に外に排出させることができる。
【００２２】
本考案に係る請求項８記載の小型焼却用具は、請求項１又は２記載の考案を前提とし、前記開閉蓋部は、筒状本体の開口に取り付けられる固定部材と、この固定部に蝶番を介して連結される開閉部とからなり、上記固定部材には、上方に突出した突出金具が取り付けられ、開閉部を開いたときに後方に転倒することを防止することを特徴とする。
【００２３】
本考案によれば、固定部材に取り付けられた突出金具によって、開閉部が後方まで転倒せずに済むため、蝶番に無理な力が加わらず、蝶番の傷みを防ぐことができる。
【考案の効果】
【００２４】
本考案によれば、取っ手が設けられているので、この取っ手を把持して容易に持ち運びが可能である。また、上記取っ手を断熱体によって覆われた突出掛止部に掛止させると、直接上記筒状本体の外壁に接触することが防止される。煙突が設けられていないので、小型の焼却具として実現でき、所定の場所に容易に持ち出したり、使用後の保管も簡易に行うことが可能である。
【００２５】
また、火の付いたゴミ類は飛散しやすいが、金網で構成されている開閉蓋部によりこのゴミ類の飛散が防止される。開閉蓋部の上にはヤカン等を置くことにより、小さなゴミ類の飛散も防止され更に効果的である。さらに、格子状の載置体が着脱自在に配置されていることから、この格子状の載置体を取り出して、筒状本体内を洗浄することができ、家庭内での安全な保管が可能になる。
【考案を実施するための最良の形態】
【００２６】
以下、本考案を実施するための最良の形態を図に基づき説明する。
図１は、本実施の形態の小型焼却用具の一態様の斜視図であり、図２は、小型焼却用具の正面図である。本実施の形態の小型焼却用具は、底板を有する筒状本体２と、筒状本体２を支持する脚部３と、筒状本体２の上方の開口を開閉自在に取り付けられる開閉蓋部４と、筒状本体２に取り付けられる取っ手５とを備えた構成である。
【００２７】
底板を有する筒状本体２は、金属缶（車の整備工場やガソリンスタンド等で大量に使用されるワックス等を入れた缶）を使用し、その上方を開口させたものである。この金属缶から作られた底板を有する筒状本体２は、高さが約４０〜５０ｃｍで、上方の開口の直径が約２０〜３０ｃｍ程度の大きさである。金属缶を使用するのは、廃棄物の有効利用の点から環境に優しい製品を製造するためである。ドラム缶を使用しても製造可能であるが、上記金属缶を使用した方が小型のものを製造可能である。この筒状本体２の底板には、３つの脚部３が溶接されている。この脚部３により筒状本体２が所定の高さに維持されるとともに、筒状本体２の熱が地面や床に伝わることを防止する。なお、図示はしていないが、筒状本体２の底板に水抜き用の穴を設けても良い。この穴を設けることにより、仮に本焼却炉を屋外に放置していても雨水が溜まることがない。
【００２８】
上記筒状本体２には、その上方の開口を開閉する開閉蓋部４が取り付けられている。この開閉蓋部４は、ほぼ円形形状の枠４ａに金網４ｂが張られている。ほぼ円形形状の枠４ａは、筒状本体２の開口に取り付けられる固定部材４ｃに、蝶番Ｔ１により連結され、これにより、開閉蓋部４は、筒状本体２の開口ａに開閉自在に設けられている。また、固定部材４ｃには、上方に突出した突出金具４ｄが取り付けられ、開閉蓋部４を開いたときに、開閉蓋部４は突出金具４ｄに接触した時点で開動作が停止し、開閉蓋部４が後方に転倒する状態（すなわち閉状態から約１８０度開いた状態）となることを防止する。これにより、蝶番Ｔ１に無理な力が加わらず、蝶番Ｔ１の老朽化を防ぐためにも有効である。また、開閉蓋部４は突出金具４ｄに接触した時点で停止するため、突出金具４ｄがない場合と比較して開閉動作が小さく、開閉作業が容易となる。開閉蓋部４の開閉は、ほぼ円形形状の枠４ａに把持部１１を設け、この把持部１１により行うようにしても良い（図３参照）。この把持部１１には、火傷防止等の観点から断熱材を使用することが好ましい。
【００２９】
上記筒状本体２には、その側壁部の下方に空気窓ｂが設けられている。この空気窓ｂは、筒状本体２内に空気を供給する役割と、開口して筒状本体２内に堆積した灰を排出させる役割も果たす。この空気窓ｂには、金網で構成された窓用蓋体８が開閉自在に取り付けられている。この窓用蓋体８は、一方側が筒状本体２の空気窓ｂ近傍に蝶番Ｔ２を介して連結され、その他方側にはロックピン８ｐが設けられている。ロックピン８ｐは、筒状本体２の空気窓ｂ近傍に設けられた係止部８ａと係止される。ここで、図示しないが、このような空気窓ｂとしては、筒状本体２の側壁部に、いくつか複数の空気孔を形成しても良く、更に、空気供給量を調整するために、この空気孔を塞ぐ閉塞部材を設けても良い。なお、ゴミを焼却する際には、空気窓ｂが風上に向くように風向きに合わせて焼却用具を設置して使用することが好ましい。これにより、空気窓ｂから新鮮な空気が流入しやすくなり、ゴミの燃焼効率を更に高めることができる。
【００３０】
上記筒状本体２には、取っ手５が取り付けられている。この取っ手５は、廃棄処理にされた取っ手付きの金属缶を使用しているため、もともとその金属缶に備えられていたものである。すなわち、円弧状の左右両端部が回転自在に筒状本体２の側面に取り付けられている。円弧状の左右両端部の一方の近傍位置には、突出掛止部５ｃが取り付けられている。この突出掛止部５ｃは、円弧状の中央に位置する持ち手部分５ｄが直接筒状本体２に接触すると、持ち手部分５ｄを掴む際に手が加熱された筒状本体２に触れて火傷したり、持ち手部分５ｄが加熱されて把持不可能となるおそれがあるので、持ち手部分５dが筒状本体２と接触しないように設けられている。なお、本実施の形態では、片側にのみ突出掛止部５ｃを設けているが、両側に設けることも可能である。また、中央の把持部分にも断熱体を設けたり、取っ手５それ自体を断熱体で構成することも可能である。
【００３１】
図３は、図１の小型焼却用具の内部を示した図である。上記筒状本体２の内部には載置体９が配置されている。図４は、図３の載置体９の斜視図であり、図５は、図１の小型焼却用具の断面図及び載置体９の正面図を示している。この載置体９は、投入されるゴミ類を底部から所定の高さ位置で燃焼させるためのもので、金属棒を格子状に組んで構成されたテーブル９ｃと、テーブル９ｃの上方に突出した複数のピン９ａ、９ｂと、テーブル９ｃを底板から所定高さに支持する複数本の脚１０とを備えている。テーブル９ｃが格子状であるのは、空気窓ｂから送り込まれた空気を遮断しないようにする必要があるからである。この載置体９は、筒状本体２との別体で作られ、筒状本体２とは接着されることなく、内部に配置されるもので、上方の開口ａから取り出すことが可能である。したがって、この格子状の載置体９を筒状本体２から取り出すと、筒状本体２の内部全体を洗浄することが可能である。
【００３２】
ピン９ａ，９ｂはテーブル９ｃから突出する高さが異なる。本実施の形態では、中央のピン９ａがその周りのピン９ｂよりも高くなっている。これは、ゴミ類が格子状の載置体９の上に分散させることで筒状本体２内での空気の流れを良くする効果があり、ゴミ類の焼却効率を高めることができる。
【００３３】
図６は、載置体の他の実施の形態を示す斜視図である。格子状の格子状のテーブル１９ｃには、上方に突出したピン１９ａが複数設けられ、このテーブル１９ｃを脚１０が支えている。ピン１９ａは一端に雄ネジを、多端に雌ネジを有する円柱型のピンであり、同種のピンと連結可能である。テーブル１９ｃには、このピン１９ａの雄ネジ部分を受け入れるための螺子穴が設けられている。このピン１９ａの連結数を変えることで、ピン高を調整することが可能である。これにより、焼却するゴミの量やゴミの種類に応じて、ゴミ類とゴミ類との隙間の広さを変化させることが可能となる。焼却するゴミの量が少ない場合、あるいは焼却するゴミが紙を丸めたもののように隙間が形成されやすい種類の場合はピン１９ａ，１９ｂの長さを短くする。逆に、焼却するゴミの量が多い場合、あるいは焼却するゴミが書類の束のようにゴミ類の間に隙間が生じにくい場合は、隙間を広げ空気の流れを良くする必要があるので、ピン１９ａ，１９ｂの高さの差を大きくしたり、ピン１９ａ、１９ｂの高さをすべて異ならせる等して調節する。これにより、ゴミ内部に十分な空間が生じ、空気の流れが良くなるため、燃焼しやすくなる。
【００３４】
上記テーブルの脚１０は、植え込みボルト１０ａとナット１０ｂと座金１０ｃから構成されており、植え込みボルト１０ａがテーブル９ｃの格子状の穴のいずれかに挿入され、テーブル９ｃの上面、下面両側からナット１０ｂによって座金１０ｃを介してテーブル９に固定されている。この脚１０は、ごみ類の量に応じて、筒状本体２底板からのテーブル９ｃの高さ（以下テーブル高）を上下させて載置体９の高さを調節する機能を有する。テーブル高を上昇させて載置体９の高さを高くする場合は、テーブル９ｃ上面のナット１０ｂを緩め、テーブル９ｃを植え込みボルト１０ａを介して所定の高さに上昇させ、その位置でテーブル９ｃ下方のナット１０ｂを締めることでテーブル９ｃを固定する。逆に、テーブル高を下げる場合は、テーブル９ｃ下面のナット１０ｂを緩め、テーブル９ｃを植え込みボルト１０ａを介して所定の高さに下降させ、その位置でテーブル９ｃ上方のナット１０ｂを締めることでテーブル９ｃを固定する。これにより、ゴミ類の量に応じて、テーブル９ｃを上下させて載置体９の高さを調整することが可能となる。これにより、例えば、通常の使用においては、テーブル９ｃにより空気窓ｂが塞がれないように、テーブル９ｃを空気窓ｂより上方に位置するよう載置体９の高さを調節しておき、灰の取り出しを容易にする。また、ゴミの量が少ない時には載置体９の高さを高くしてゴミに火を付けやすくする。反対にゴミの量が多い場合は、載置体９の高さを低くしてゴミを投入できる空間を広くする。さらに、空気窓ｂにかかる位置にまで載置体９の高さを低くすることにより、上方の開口からゴミに火を付けるだけでなく、空気窓ｂから手を入れてゴミの下方からも火を付けて燃えやすくすることも可能となり、状況に応じた使用が可能となる。
【００３５】
また、テーブルの脚１０はピン９ａ，９ｃと同様の役割も有する。すなわち、テーブル９ｃを下降させると、脚１０はテーブル９ｃの上方から高く突出してピンの役割を果たす。ゴミ類の量が多い場合は、テーブル９ｃを下降させてゴミ類を投入可能な空間を広くすると、それに伴って突出部の長さが長くなることによりピンの本数が増加し、ゴミ類が多量な場合にもゴミ類の間に多くの隙間が形成されて更に燃焼しやすくなる。
【００３６】
次に、本実施の形態の使用例を説明する。例えば、マンションやアパート等のベランダや公園等の広場の安全な場所で使用するときは、押入れ等に保管されていた小型焼却用具１の取っ手５を把持して持ち出す。開閉蓋部４を開けて、筒状本体２内に紙や落ち葉等のゴミ類を投入すると、格子状の載置体９の上でゴミ類が堆積するので、最後にゴミ類に火を付けて開閉蓋部４を閉塞すると、載置体９の上でゴミ類が燃える。開閉蓋部４は、金網で構成され、煙突等は設けられていない。また、金網で構成されている開閉蓋部４の上にヤカン等を置くことができるが、このヤカンなどを置くことで、小さな火の付いたゴミ類の飛散が防止される。さらに、格子状の載置体９が着脱自在に配置されていることから、この格子状の載置体９を取り出して、筒状本体２内を洗浄することができる。
【００３７】
以上、本実施の形態では、筒状本体が円筒状を呈するもので説明したが、これに限らず断面が角形状等の筒状でも適用可能である。
【図面の簡単な説明】
【００３８】
【図１】本考案の一実施の形態の小型焼却用具を示す斜視図である。
【図２】本考案の一実施の形態の小型焼却用具を示す正面図である。
【図３】本考案の一実施の形態の小型焼却用具を一部断面とし、内部構造を示した図である。
【図４】本考案の一実施の形態の小型焼却炉用具の内部に載置する載置体を示した図である。
【図５】本考案の一実施の形態の小型焼却用具の断面図及び上記載置体の正面図を示した図である。
【図６】本考案の一実施の形態の小型焼却用具の載置体の他の例を示す斜視図である。
【符号の説明】
【００３９】
１        小型焼却用具、
２        筒状本体、
３        脚部、
４        開閉蓋部、４ｃ  固定部材、４ｄ  突出金具、
５        取っ手、
８        窓用蓋体、８ａ  係止部、８ｐ  ロックピン    
９        載置体、９ａ  全長の長いピン、９ｂ  全長の短いピン、９ｃ  格子状のテーブル
１０      テーブルの脚、１０ａ  植え込みボルト、１０ｂ  ナット、１０ｃ  座金  
１９      載置体、１９ａ  ピン、１９ｂ  ピン、１９ｃ  格子状のテーブル、  
ａ        開口、
ｂ        空気窓    
【図１】
0003100815.tif 000003
【図２】
0003100815.tif 000004
【図３】
0003100815.tif 000005
【図４】
0003100815.tif 000006
【図５】
0003100815.tif 000007
【図６】
0003100815.tif 000008